(57)【要約】      （修正有）【課題】スリーブカバーの開口端に取り付けられた収縮チューブが破損した場合、高圧配電線にスリーブカバーを作業性良く固定できるようにしたスリーブカバー改修用の栓体を提供する。【解決手段】両端が開放したスリーブカバーの開口端に嵌入される栓体１であって、合成樹脂材からなり両端が開放する短筒状に形成されると共にその中心軸線Ｏ方向に沿った一側縁で分割し、該中心軸線Ｏ方向の一端側に前記開口端に嵌入する嵌入筒３を形成し、前記中心軸線Ｏ方向の他端側に外周面がその他端側に向かうに従い漸次窄まるテーパ面９に形成される突出筒４を形成し、該突出筒４におけるスリーブカバーの開口端と接する部位はその外径が該スリーブカバーの外径と同じ寸法に形成されている。【選択図】図２
0003147004.tif 000002
【実用新案登録請求の範囲】
【請求項１】
両端が開放したスリーブカバーの開口端に嵌入される栓体であって、
合成樹脂材からなり両端が開放する短筒状に形成されると共にその中心軸線方向に沿った一側縁で分割し、前記中心軸線方向の一端側に前記開口端に嵌入する嵌入筒を形成し、前記中心軸線方向の他端側に外周面がその他端側に向かうに従い漸次窄まるテーパ面に形成される突出筒を形成し、前記突出筒における前記スリーブカバーの開口端と接する部位はその外径が前記スリーブカバーの外径と同じ寸法に形成されていることを特徴とするスリーブカバー改修用の栓体。
【考案の詳細な説明】
【技術分野】
【０００１】
本考案は、高圧配電線を直線スリーブにより接続した場合であって、該スリーブを被覆するスリーブカバー先端の破損に対する改修のために使用されるスリーブカバー改修用の栓体に関するものである。
【背景技術】
【０００２】
一般に、高圧配電線の端部同士を直線スリーブによって接続する場合、両端に常温で収縮する収縮チューブを嵌めてスリーブカバーを形成しておく。そして、あらかじめ高圧配電線の一方に前記スリーブカバーを外嵌しておき、該高圧配電線の端部同士を重ねると共にこれを直線スリーブによって挟着固定して接続し、スリーブカバーによりこの直線スリーブを覆った状態で両端の収縮チューブの内周面に嵌められたカラーを抜き取り、これら収縮チューブを収縮させて直線スリーブを密閉するようにしている。また、前記カラーは、互いにスリーブカバーの両端部の外周面に嵌着して収縮チューブの緩みがないようにしている（例えば、特許文献１参照。）。
【０００３】
【特許文献１】特開平１１−６９５９４号公報（第３頁、図５）
【考案の開示】
【考案が解決しようとする課題】
【０００４】
しかしながら、前記特許文献１に記載のスリーブカバーにあっては、長年使用することによる経年変化により前記カラーや収縮チューブが破損すると、スリーブカバーが高圧配電線に沿ってずれ、直線スリーブが外部に露出してしまい非常に危険な状態になる。そこで、応急処置として、直線スリーブを覆った状態でスリーブカバーの両端部に絶縁テープを幾重にも巻いて該スリーブカバーを高圧配電線に固定するようにしている。しかしながら、スリーブカバーの開口端の外周面と高圧配電線の外周面とはその外径寸法が大きく異なりその間には段差が生ずることから、前記絶縁テープが非常に巻きにくく、作業しずらいという課題が有った。
【０００５】
そこで、本考案は前記課題を解決すべくなされたもので、スリーブカバーの開口端に取り付けられたカラーや収縮チューブが破損した場合も、高圧配電線にスリーブカバーを作業性良く固定できるようにしたスリーブカバー改修用の栓体を提供することを目的とするものである。
【課題を解決するための手段】
【０００６】
かかる目的達成のため、本考案のスリーブカバー改修用の栓体は、両端が開放したスリーブカバーの開口端に嵌入される栓体であって、合成樹脂材からなり両端が開放する短筒状に形成されると共にその中心軸線方向に沿った一側縁で分割し、前記中心軸線方向の一端側に前記開口端に嵌入する嵌入筒を形成し、前記中心軸線方向の他端側に外周面がその他端側に向かうに従い漸次窄まるテーパ面に形成される突出筒を形成し、前記突出筒における前記スリーブカバーの開口端と接する部位はその外径が前記スリーブカバーの外径と同じ寸法に形成されていることを特徴とする。
【考案の効果】
【０００７】
本考案に係るスリーブカバー改修用の栓体は、合成樹脂材からなり両端が開放する短筒状に形成されると共にその中心軸線方向に沿った一側縁で分割し、該中心軸線方向の一端側に前記開口端に嵌入する嵌入筒を形成し、前記中心軸線方向の他端側に外周面がその他端側に向かうに従い漸次窄まるテーパ面に形成される突出筒を形成し、該突出筒における前記スリーブカバーの開口端と接する部位はその外径が該スリーブカバーの外径と同じ寸法に形成されている。よって、直線スリーブによって高圧配電線を接続したままでも、該高圧配電線に栓体を取り付けることができる。また、栓体におけるスリーブカバーの開口端と接する部位はその外径がスリーブカバーの外径と同じ寸法に形成されているので、栓体におけるスリーブカバーの開口端と接する部位の外周面とスリーブカバーの外周面との間に段差がなくなり、絶縁テープが非常に巻き易い。しかも、これら作業は、間接活線工法により行なうことができる。これにより、前記スリーブカバーの改修工事が作業性良くかつ安全に行なえるという効果がある。
【考案を実施するための最良の形態】
【０００８】
以下、本考案に係るスリーブカバー改修用の栓体の実施の形態を図面に基づき詳しく説明する。図１は本考案に係るスリーブカバー改修用の栓体の斜視図、図２（イ）はスリーブカバー改修用の栓体の正面図、図２（ロ）は同底面図、図２（ハ）は図２（イ）のＸ−Ｘ線断面図、図２（ニ）は図２（イ）のＹ−Ｙ線断面図、図２（ホ）はスリーブカバー改修用の栓体の正面断面図である。
【０００９】
栓体１は、難燃性の合成樹脂材、例えば難燃性ポリエチレンにより成形される。そして、該栓体１は、両端が開放する短筒状に形成されると共に図２（ロ）に示すようにその中心軸線Ｏ方向に沿った一側縁（下縁）で分割され、該分割部２が自在に開くようになっている。また、中心軸線Ｏ方向の一端側に後記するスリーブカバー１３の開口端１３ａに嵌入する嵌入筒３が形成され、前記中心軸線Ｏ方向の他端側に前記スリーブカバー１３の開口端１３ａから突出する突出筒４が形成されている。
【００１０】
更に、詳しく説明すると、前記嵌入筒３の中心軸線Ｏ方向であって突出筒４と接する基端部に、外径がスリーブカバー１３の内径とほぼ同じ寸法の嵌入基部５が設けられ、該嵌入基部５から先端までは差込部６が設けられ、該差込部６の外周面が先端に進むにつれ漸次細くなるテーパ面７に形成されている。また、図２（イ）に示すように、嵌入筒３の上半体３ａよりも下半体３ｂの方がテーパ面の傾斜角度がきつくなっている。そして、下半体３ｂには図２（ロ）に示すように、嵌入基部５の端から前記分割部２と連なるようにして先端に進むに従い対向面間の距離が広がりかつ先端で開放する切取口８が設けられている。このように、差込部６の外周面を先端に進むに従い窄まるテーパ面７に形成しているのは、栓体１をスリーブカバー１３の開口端１３ａに差し込み易くするためである。
【００１１】
突出筒４は、その外周面が嵌入筒３側の基部から先端に向かうに従い漸次窄まるテーパ面９に形成され、その内、傾斜角度は途中で緩くなっている。また、栓体１の内周面は、図２（ホ）に示すように嵌入筒３側の先端開口１０と突出筒４の先端開口１１がほぼ同じ内径を有し、後記する高圧配電線１２の外径と同じ寸法に設定される。また、栓体１内部の内径は、高圧配電線１２の外径よりも少し大きい寸法に設定されている。
【００１２】
本考案に係るスリーブカバー改修用の栓体１は上記構成からなり、次にその使い方について説明する。図３は高圧配電線の接続部にスリーブカバーを被せた状態の一部を断面にして示す正面図である。通常、高圧配電線１２を接続するには、一方の高圧配電線１２にスリーブカバー１３を外装しておき、両高圧配電線１２，１２の芯線端部１２ａ，１２ａ同士を直線スリーブ１４によって接続した後に、スリーブカバー１３を移動させて接続部である直線スリーブ１４に被せる。スリーブカバー１３の両端には常温で収縮する収縮カバー１５が取着されており、未使用状態では、それら収縮カバー１５が無用に収縮しないようにその中にスリーブカバー１３とほぼ同じ外径のスペーサ（図示せず。）が介在されている。そこで、前記高圧配電線１２の接続部である直線スリーブ１４にスリーブカバー１３を被せた状態で、スペーサを外側へ引き抜く。これにより、両端の収縮チューブ１５、１５が収縮して高圧配電線１２の外周面に密着しその内部を塞ぐ。
【００１３】
このようにして、接続部である直線スリーブ１４をスリーブカバー１３により保護することになる。ところが、長年使用されている間に収縮チューブ１５が劣化してひび割れを起こして破損することがある。収縮チューブ１５が破損すると、スリーブカバー１３と高圧配電線１２とが分離してスリーブカバー１３が高圧配電線１２に沿ってずれ、直線スリーブ１４が外部に露出してしまい非常に危険な状態となる。
【００１４】
そこで、このような状態が生じた場合は、破損した収縮チューブ１５をスリーブカバー１３から取り除いた後、図４に示すように高圧配電線１２におけるスリーブカバー１３の両端側に嵌入筒３を該スリーブカバー１３側に配置した状態で栓体１をそれぞれ取り付ける。各栓体１は分割部２を開放してそこから高圧配電線１２に差し込むことができ、高圧配電線１２を敢えて切断する必要はない。そして、図５に示すように両栓体１，１をスリーブカバー１３の両開口端１３ａ，１３ａに挿入する。
【００１５】
最後に、各栓体１をスリーブカバー１３の両開口端１３ａ，１３ａに抜けることなくしっかりと固定するために、図６に示すようにその外側から絶縁テープ１６を幾重にも巻回する。この際、栓体１におけるスリーブカバー１３の開口端１３ａと接する部位の外周面とスリーブカバー１３の外周面との間に段差がないので、絶縁テープ１６が非常に巻き易い。これにより、作業が完了するが、通常これら作業はすべて間接活線工具（図示せず。）を用いて行なわれ、高圧配電線１２が活線状態でも作業ができるようにしており至便である。
【００１６】
このような処置は、一時的なものである。接続状態を長く維持するには、前記のように高圧配電線１２を切断して、両端に収縮チューブ１５が取り付けられた新しいスリーブカバー１３を一方の高圧配電線１２に外嵌しておく。そして、高圧配電線１２を直線スリーブ１４で接続した後に、スリーブカバー１３を接続部である直線スリーブ１４に被せて固定するようにする。
【００１７】
以上のように、本考案に係るスリーブカバー改修用の栓体１は、合成樹脂材からなり両端が開放する短筒状に形成されると共にその中心軸線Ｏ方向に沿った一側縁で分割し、該中心軸線Ｏ方向の一端側にスリーブカバー１３の開口端１３ａに嵌入する嵌入筒３を形成し、中心軸線Ｏ方向の他端側に外周面がその他端側に向かうに従い漸次窄まるテーパ面９に形成される突出筒４を形成し、該突出筒４におけるスリーブカバー１３の開口端１３ａと接する部位はその外径が該スリーブカバー１３の外径と同じ寸法に形成されている。
【００１８】
よって、直線スリーブ１４により高圧配電線１２を接続したままでも、該高圧配電線１２に分割部２を介して栓体１を取り付けることができる。また、栓体１におけるスリーブカバー１３の開口端１３ａと接する部位はその外径がスリーブカバー１３の外径と同じ寸法に形成されているので、栓体１におけるスリーブカバー１３の開口端１３ａと接する部位の外周面とスリーブカバー１３の外周面との間に段差がなくなり、絶縁テープ１６が非常に巻き易い。これにより、前記スリーブカバー１３の改修工事が作業性良くかつ安全に行なえることになる。
【図面の簡単な説明】
【００１９】
【図１】本考案に係るスリーブカバー改修用の栓体の斜視図。
【図２】（イ）はスリーブカバー改修用の栓体の正面図、（ロ）は同底面図、（ハ）は図２（イ）のＸ−Ｘ線断面図、（ニ）は図２（イ）のＹ−Ｙ線断面図、（ホ）はスリーブカバー改修用の栓体の正面断面図である。
【図３】高圧配電線の接続部に収縮チューブによりスリーブカバーを被せた状態の一部を断面にして示す正面図。
【図４】スリーブカバーの改修工事を示すもので、高圧配電線に栓体を取り付けた状態の正面図。
【図５】同栓体をスリーブカバーの両開口端に挿入した状態の一部を断面にして示す正面図。
【図６】同両栓体に絶縁テープを巻回した状態の一部を断面にして示す正面図。
【符号の説明】
【００２０】
１                栓体
２                分割部
３                嵌入筒
４                突出筒
９                テーパ面
１０              先端開口
１１              先端開口
１３              スリーブカバー
１３ａ            開口端
【図１】
0003147004.tif 000003
【図２】
0003147004.tif 000004
【図３】
0003147004.tif 000005
【図４】
0003147004.tif 000006
【図５】
0003147004.tif 000007
【図６】
0003147004.tif 000008